(57)【要約】【課題】本発明は、カバー部材の電子部品に対向する領域の周囲にリブ部を形成する共に、筐体側にリブ部が挿入される凹部を形成することで、外部からの力によりカバー部材が撓むことが抑制された携帯電子機器を提供することを目的とする。【解決手段】携帯電話機１は、操作部側筐体２に配置されるカードコネクタ９０と、カード９０コネクタ９０を覆うように配置されるバッテリリッド２ｃ、を備え、バッテリリッド２ｃには、カード９０に対向する対向領域９３の周囲に操作部側筐体２の内部側に突出するリブ８２、８２が形成され、操作部側筐体２には、リブ８２、８２に対向する位置に凹部としての溝部８６、８６が形成され、リブ８２、８２は、バッテリリッド２ｃが操作部側筐体２に取り付けられた状態において溝部８６、８６に挿入される。【選択図】図６
2008294766.tif 000002
【特許請求の範囲】
【請求項１】
筐体と、
前記筐体に配置される電子部品と、
前記筐体に着脱可能に取り付けられ前記電子部品を覆うように配置されるカバー部材と、を備え、
前記カバー部材には、前記電子部品に対向する領域の周囲に前記筐体の内部側に突出するリブ部が形成され、
前記筐体には、前記リブ部に対向する位置に凹部が形成され、
前記リブ部は、前記力バー部材が前記筐体に取り付けられた状態において、前記凹部に挿入される携帯電子機器。
【請求項２】
前記リブ部は、前記カバー部材が前記筐体に取り付けられた状態において、該リブ部における前記電子部品側と反対側の側面であるリブ外側面が、前記凹部における前記電子部品側と反対の壁部である凹部外側壁部の側面に当接される請求項１に記載の携帯電子機器。
【請求項３】
前記凹部は、前記凹部外側壁部と、前記凹部外側壁部に対向する凹部内側壁部と、前記凹部外側壁部と前記内側壁部とをつなぐように形成される底面部と、を有して構成され、
前記筐体に取り付けられた状態における前記カバー部材に前記筐体外側から前記筐体内側への力が加えられた場合、
前記リブ部の先端が前記底面部に当接されると共に、前記カバー部材の内面であって前記リブよりも前記電子部品側に位置する部分が前記凹部内壁部の先端に当接される請求項に２記載の携帯電子機器。
【請求項４】
前記凹部は、前記電子部品を挟んだ両側に形成される請求項１から３のいずれか１項に記載の携帯電子機器。
【請求項５】
前記電子部品の両側に形成される２つのリブ部の間隔は、前記カバー部材における前記２つのリブ部が離間する方向の長さに対して０．５以下となるよう構成される請求項４に記載の携帯電子機器。
【請求項６】
前記カバー部材は、前記筐体に対してスライド係合可能に構成され、
前記凹部は、前記力バー部材のスライド方向に沿って延設され、
前記リブ部は、前記凹部の形状に対応して前記スライド方向に沿って延設される請求項１から５のいずれか１項に記載の携帯電子機器。
【請求項７】
前記電子部品は、前記筐体外部側に配置される補強部材を有し、
前記カバー部材には、該カバー部材が前記筐体に取り付けられた状態で、前記補強部材に対向する部位に前記電子部品側に突出する突起部が形成される請求項１から６のいずれか１項に記載の携帯電子機器。
【発明の詳細な説明】
【技術分野】
【０００１】
本発明は、携帯電話機等の携帯電子機器に関する。詳細には、電子部品と該電子部品を覆うように配置されるカバー部材とを有する携帯電子機器に関する。
【背景技術】
【０００２】
近年、携帯電子機器としての携帯電話機は、その機能が高度化している。これに伴い、携帯電話機の筐体には、外部機器と接続するためのコネクタが形成されると共に、メモリカード等を装着するカード装着部が形成されている。そして、このコネクタやメモリカード等を保護するために、カバー部材がコネクタやメモリカード等を覆うようにして配置される。
【０００３】
具体的には、バッテリを収容するバッテリ収容部の底面にカードコネクタが形成された携帯電子機器が提案されている（例えば、特許文献１参照）。この携帯電子機器において、カードコネクタに装着されたＳＩＭカード等は、バッテリ及びバッテリリッドにより被覆され、外部から保護される。
【０００４】
しかし、この携帯電子機器においては、電子部品であるＳＩＭカード等を装着するに際し、バッテリリッドだけでなくバッテリを移動させる必要があり、ＳＩＭカード等の着脱操作が煩雑であるという問題があった。
【０００５】
これに対し、バッテリを収容するバッテリ収容部の近傍にケーブルコネクタが形成された電子機器が提案されている（例えば、特許文献２参照）。この電子機器において、電子部品としてのケーブルコネクタは、筐体に取り付けられるバッテリリッドにより被覆されて保護されると共に、外部に露出させるにはバッテリリッドだけをスライド移動させればよい。
【特許文献１】特開２００５−２１５７３３号公報
【特許文献２】特開２００６−０４２１６３号公報
【発明の開示】
【発明が解決しようとする課題】
【０００６】
しかし、特許文献２に開示された電子機器において、カバー部材としてのバッテリリッドとケーブルコネクタとの間にはバッテリリッドスライド操作上に必要な隙間が設けられている。この隙間があるため、カバー部材に外部から内側への力が加えられた場合、カバー部材が電子部品としてのケーブルコネクタ側に近づくように撓む場合がある。この場合、カバー部材の一部が電子部品としてのケーブルコネクタに当接すると共に、外部からの力がケーブルコネクタに伝達され、ケーブルコネクタが破損する場合があった。ここで、ケーブルコネクタではなく、上述のＳＩＭカード等のカード部材の場合には、更に破損する可能性が高くなっていた。
【０００７】
本発明は、筐体に配置される電子部品と、電子部品を覆うように配置されるカバー部材とを有する携帯電子機器において、カバー部材の電子部品に対向する領域の周囲にリブ部を形成する共に、筐体側にリブ部が挿入される凹部を形成することで、外部からの力によりカバー部材が撓むことが抑制された携帯電子機器を提供することを目的とする。
【課題を解決するための手段】
【０００８】
本発明は、筐体と、前記筐体に配置される電子部品と、前記筐体に着脱可能に取り付けられ前記電子部を覆うように配置されるカバー部材と、を備え、前記カバー部材には、前記電子部品に対向する領域の周囲に前記筐体の内部側に突出するリブ部が形成され、前記筐体には、前記リブ部に対向する位置に凹部が形成され、前記リブ部は、前記力バー部材が前記筐体に取り付けられた状態において、前記凹部に挿入される携帯電子機器に関する。
【０００９】
また、前記リブ部は、前記カバー部材が前記筐体に取り付けられた状態において、該リブ部における前記電子部品側と反対側の側面であるリブ外側面が、前記凹部における前記電子部品側と反対の壁部である凹部外側壁部の側面に当接されることが好ましい。
【００１０】
また、前記凹部は、前記凹部外側壁部と、前記凹部外側壁部に対向する凹部内側壁部と、前記凹部外側壁部と前記内側壁部とをつなぐように形成される底面部と、を有して構成され、前記筐体に取り付けられた状態における前記カバー部材に前記筐体外側から前記筐体内側への力が加えられた場合、前記リブ部の先端が前記底面部に当接されると共に、前記カバー部材の内面であって前記リブよりも前記電子部品側に位置する部分が前記凹部内壁部の先端に当接されることが好ましい。
【００１１】
また、前記凹部は、前記電子部品を挟んだ両側に形成されることが好ましい。
【００１２】
また、前記電子部品の両側に形成される２つのリブ部の間隔は、前記カバー部材における前記２つのリブ部が離間する方向の長さに対して０．５以下となるよう構成されることが好ましい。
【００１３】
また、前記カバー部材は、前記筐体に対してスライド係合可能に構成され、前記凹部は、前記力バー部材のスライド方向に沿って延設され、前記リブ部は、前記凹部の形状に対応して前記スライド方向に沿って延設されることが好ましい。
【００１４】
また、前記電子部品は、前記筐体外部側に配置される補強部材を有し、前記カバー部材には、該カバー部材が前記筐体に取り付けられた状態で、前記補強部材に対向する部位に前記電子部品側に突出する突起部が形成されることが好ましい。
【発明の効果】
【００１５】
本発明は、筐体に配置される電子部品と、電子部品を覆うように配置されるカバー部材とを有する携帯電子機器において、カバー部材の電子部品に対向する領域の周囲にリブ部を形成する共に、筐体側にリブ部が挿入される凹部を形成することで、外部からの力によりカバー部材が撓むことが抑制された携帯電子機器を提供することができる。
また、本発明は、外部からに力により撓んだカバー部材の一部が電子部品に当接することにより生じる電子部品の破損を抑制することができる。
【発明を実施するための最良の形態】
【００１６】
以下、図面を参照して本発明を実施するための最良の形態を説明する。なお、以下、携帯電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、電子辞書、携帯音楽再生機等であってもよい。
【００１７】
図１は、携帯電話機１を開いた状態における正面からの外観斜視図である。図２は、携帯電話機１を開いた状態における裏面からの外観斜視図である。図３は、操作部側筐体２におけるバッテリリッド２ｃをスライドしてカード９０ａが装着された状態が外部に露出した状態を示す図である。図４（Ａ）は、バッテリリッド２ｃの表面における斜視図である。図４（Ｂ）は、バッテリリッド２ｃの裏面における斜視図である。図５は、図３における領域Ｘの拡大図である。
【００１８】
図１及び図２に示すように、携帯電話機１は、操作部側筐体２と、表示部側筐体３と、を備える。操作部側筐体２と表示部側筐体３とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。ここで、閉状態とは、両筐体が互いに重なるように配置された状態であり、開状態とは、両筐体が互いに重ならないように配置された状態をいう。
【００１９】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。
【００２０】
操作キー群１１は、各種設定や電話帳機能やメール機能等の各種機能を作動させるための第１キー操作部としての機能設定操作キー１３、電話番号の数字やメール等の文字等を入力するための入力操作キー１４、各種操作における決定や上下左右方向のスクロール等を行う操作部材としての決定操作キー１５により構成されている。決定操作キー１５は、第２キー操作部としての環状キー１６と、環状の中央部に形成される中央キー１７とにより構成される。
【００２１】
操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００２２】
音声入力部１２は、操作部側筐体２の長手方向における連結部４側と反対の外端部側に配置される。つまり、音声入力部１２は、携帯電話機１が開状態において一方の外端部側に配置される。
【００２３】
操作部側筐体２における一方側の側面には、外部機器（例えば、ＰＣ等）と通信を行うためのインターフェース（図示せず）が配置されており、インターフェースは、キャップ１９により覆われている。操作部側筐体２の他方側の側面には、所定の機能が割り当てられているサイドキー３１と、外部メモリの挿入及び取り出しが行われるインターフェース（図示せず）とが配置されており、インターフェースは、キャップ３２により覆われている。
【００２４】
表示部側筐体３は、外面がフロントパネル３ａとフロントケース３ｂとリアケース３ｃとリアパネル３ｄとにより構成される。表示部側筐体３におけるフロントケース３ｂには、各種情報を表示するための表示部２１と、通話の相手側の音声を出力するレシーバとしての音声出力部２２と、が露出するように構成される。ここで、表示部２１は、液晶パネルと、この液晶パネルを駆動する駆動回路と、この液晶パネルの背面側から光を照射するバックライト等の光源部とから構成される。
【００２５】
次いで操作部側筐体２及び表示部側筐体３の内部構造について説明する。
操作部側筐体２は、フロントケース２ａと、キー構造部と、フレキシブル配線基板と、シールドケース体と、基準電位パターン層及び携帯電話機用のＲＦ（Ｒａｄｉｏ  Ｆｒｅｑｕｅｎｃｙ）モジュール等の各種電子部品を備える回路基板と、音声入力部１２と、バッテリリッド２ｃを備えたリアケース２ｂと、バッテリ８０とを備える。
【００２６】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部と、フレキシブル配線基板と、シールドケース体と、回路基板とが挟まれるようにして内蔵される。つまり、回路基板を覆うようにしてシールドケース体が積層配置され、また、シールドケース体の上面側にフレキシブル配線基板が積層配置され、また、フレキシブル配線基板の上面にキー構造部が積層配置される。
【００２７】
フロントケース２ａには、携帯電話機１を折り畳んだ状態で表示部側筐体３の表示部２１と対向する内側面に複数のキー孔が形成される。複数のキー孔それぞれからは、機能設定操作キー１３を構成する機能設定操作キー部材の押圧面、入力操作キー１４を構成する入力操作キー部材の押圧面、及び決定操作キー１５に含まれる環状キー１６を構成する環状キー部材及び中央キーを構成する中央キー部材の押圧面が露出される。
【００２８】
この露出した機能設定操作キー部材、入力操作キー部材、環状キー部材及び中央キー部材押圧面を押し下げるように押圧することで、対応するキースイッチそれぞれに設けられる後述のメタルドーム（椀状形状）の頂点が押圧され、スイッチ端子に接触して電気的に導通する。
【００２９】
キー構造部は、操作部材と、キーフレームと、キーシートと、により構成される。
操作部材は、複数のキー操作部材により構成される。具体的には、機能設定操作キー部材と、入力操作キー部材と、環状キー部材と、中央キー部材とにより構成される。操作部材を構成する各操作キー部材それぞれは、後述するキーフレームを挟んでキーシートに接着される。キーシートに接着された各操作キー部材それぞれにおける押圧面は、上述の通り、複数のキー孔それぞれから外部に露出して配置される。
【００３０】
キーフレームは、孔部が複数形成された金属性の板状部材である。キーフレームは、入力操作キー部材の押圧による回路基板等への悪影響を防ぐための部材である。また、キーフレームは導電性の部材であり、入力操作キー部材における静電気を逃がすための部材としても機能する。
【００３１】
キーシートは、可撓性を有するシリコンゴム製のシート状部材により構成される。キーシートには、キー操作部材が接合されると共に、キー操作部材を支持する。
【００３２】
フレキシブル配線基板は、キーシート側に配置される複数のキースイッチを有する。複数のキースイッチそれぞれは、キーシートを間に挟んでキー操作部材それぞれと対向（対応）する位置に配置される。複数のキースイッチそれぞれは、椀状に湾曲して立体的に形成された金属板のメタルドームを有する構造になっている。メタルドームは、その椀状形状の頂点が押圧されると、フレキシブル配線基板の表面に印刷された電気回路（図示せず）に形成されるスイッチ端子に接触して電気的に導通するように構成される。なお、フレキシブル配線基板は、複数の絶縁フィルムの間に配線を挟み込んだものである。フレキシブル配線基板は、後述するケース体における平板部に載置される。フレキシブル配線基板がケース体における平板部に載置されるので、操作部材それぞれが押圧されることによる圧力や撓みは、ケース体の下方に配置される回路基板に伝達されにくい。
【００３３】
シールドケース体は、薄型の直方体における一の広い面が開口した形状を有する導電性の部材である。シールドケース体は、平板部における開口側の面に略垂直に形成されるリブを有する。リブは、回路基板に実装される各種電子部品のうち最も高さのある電子部品の高さと同等又はそれよりも十分に高くなるよう形成される。リブは、平板部の周縁及び内側に基準電位パターン層に対応するように形成される。具体的には、シールドケース体が回路基板に載置された状態で、基準電位パターン層上に配置されるようにリブが形成される。なお、シールドケース体は、金属により形成するほか、骨格を樹脂により形成し、その表面に導体膜を形成したものでもよい。シールドケース体は、リブの底面が基準電位パターン層に当接されることで、基準電位パターン層と電気的に接続される。シールドケース体は、基準電位パターン層と電気的に導通して該基準電位パターン層と同じ大きさの電位を有するようになる。つまり、シールドケース体は、シールドケースとして機能する。シールドケース体は、シールドケースとして外部からのノイズが回路基板に配置される不図示の各種電子部品に作用するのを防ぐと共に、ＲＦ（Ｒａｄｉｏ  Ｆｒｅｑｕｅｎｃｙ）回路等の高周波回路から放出されるノイズを吸収して、他の電子部品に作用することを防ぐ。
【００３４】
回路基板には、不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。回路基板には、基準電位パターン層が形成される。基準電位パターン層は、導電性の部材を回路基板表面に所定パターンで印刷することで形成される。
【００３５】
リアケース２ｂには、ユーザの音声を入力する音声入力部（マイク）１２が収容される。また、図３に示すように、リアケース２ｂには、操作部側筐体２にスライド係合可能なカバー部材としてのバッテリリッド２ｃが設けられている。バッテリリッド２ｃは、バッテリ８０をリアケース２ｂに形成されるバッテリ収納部８０Ａにリアケース２ｂの外側から収納した後、リアケース２ｂにスライド係合して装着される。逆に、バッテリリッド２ｃを外側にスライドさせることで、バッテリリッド２ｃを操作部側筐体２から取り外すことができる。
【００３６】
図４（Ａ）（Ｂ）に示すように、バッテリリッド２ｃにおける一方の端部には、係合部９５ａが形成される。バッテリリッド２ｃは、図３に示す操作部側筐体２のリアケース２ｂに形成される被係合部９５ｂに係合部９５ａが係合することで、図２に示す状態で位置決め固定される。
【００３７】
また、リアケース２ｂは、バッテリリッド２ｃが取り付けられた状態において該バッテリリッド２ｃにより被覆される領域に、操作部側筐体２の下端部（連結部４とは反対側の端部）側からバッテリ収納部８０Ａとカードコネクタ用開口部９５ｃとが形成されている。
【００３８】
操作部側筐体２の内部に配置されて、フロントケース２ａとリアケース２ｂとの結合によって両ケース２ａ，２ｂにより挟持される図示しない回路基板は、リアケース２ｂに対向する側の実装面にカードコネクタ用開口部９５ｃに対応する位置にカードコネクタ９０が実装等により配設されている。このカードコネクタ９０は、ＵＩＭカード、ＳＩＭカード、外部メモリカード等の携帯電話機１（携帯電子機器）で使用されるカード９０ａ（ここではＳＤカード等の外部メモリカード）が装着されて、カード９０ａ内部のメモリ部等と回路基板上の電子部品（ＣＰＵ等）とを電気的に接続するためのコネクタ部品（電子部品）である。
【００３９】
そして、フロントケース２ａとリアケース２ｂとをねじ結合等によって結合させると、両ケース２ａ、２ｂによって位置決めされて挟持される回路基板上に実装されているカードコネクタ９０が、カードコネクタ用開口部９５ｃの内部に配置されて、このカードコネクタ用開口部９５ｃを介して筐体外部に露出されることとなる。
【００４０】
このようにリアケース２ｂに形成されたバッテリ収納部８０Ａ及びカードコネクタ用開口部９５ｃにそれぞれ配置されるバッテリ８０及びカードコネクタ９０は、リアケース２ｂに取り付けられるバッテリリッド２ｃにより被覆されることとなる。また、バッテリリッド２ｃが取り付けられない状態において、カードコネクタ９０へのカード９０ａの装着及び取り外しが可能とされると共に、バッテリ収納部８０Ａへのバッテリ８０の装着及び取り外しが可能とされている。
【００４１】
また、図４（Ｂ）に示すように、バッテリリッド２ｃの裏面側には、カードコネクタ９０を覆うように配置されるカードカバー部８１が形成される。カードカバー部８１には、互いに離間して平行に形成される突状のリブ８２、８２が形成される。リブ８２、８２は、バッテリリッド２ｃが操作部側筐体２に取り付けられた状態で操作部側筐体２の内部側に突出する部材であって、後述する凹部としての溝部８６、８６に挿入される部材である。
【００４２】
リブ８２、８２は、バッテリリッド２ｃを操作部側筐体２に取り付けた状態におけるカードコネクタ９０に対向する領域である対向領域８３の周囲に配置される。リブ８２、８２は、略等幅であってバッテリリッド２ｃにおけるスライド方向に延びるように形成される。リブ８２、８２は、操作部側筐体２に形成される後述の溝部８６、８６に挿入されるような形状及び位置に形成される。ここで、リブ８２、８２同士の間隔は、バッテリリッド２ｃのリブ８２、８２が離間する方向である幅方向の長さに対して０．５以下である。この場合には、リブ８２、８２同士の間の対向領域８３が撓みにくくなる。なお、対向領域８３の周囲に配置されるリブ８２、８２は、バッテリリッド２ｃのスライド方向の２ヶ所に配置される構成に限定されるものではなく、対向領域８３の周囲における４方向に配置されたり、対向領域８３の周囲の一方向のみ（例えば、スライド方向の片側）に配置されるように構成されてもよい。
【００４３】
また、対向領域８３には、突起部８４が形成される。突起部８４は、バッテリリッド２ｃが操作部側筐体２に取り付けられた状態において、後述するカードコネクタ９０の金属板部９２に対向する位置に形成される。バッテリリッド２ｃが筐体外部からの応力等により撓み変形した場合、突起部８４における頂部８５が金属板部９２に当接する。突起部８４がカードコネクタ９０における強度が弱い部分ではなく強い金属板部９２に当接されることで、カードコネクタ９０やカードコネクタに装着されているカード９０ａの破損を抑制できる。また、突起部８４は、中央部が長方形状にくり抜かれた形状である。このくり抜きにより、バッテリリッド２ｃにおける撓み等において全体が均等に変形するように調整されている。
【００４４】
図３に示すように、リアケース２ｂのカードコネクタ用開口部９５ｃにより形成されて電子部品としてのカードコネクタ９０を収容するカード収容部９１は、バッテリ８０が収容されるバッテリ収納部８０Ａに隣接して形成される。カード収容部９１には、収容されたカードコネクタ９０の上面（筐体外部側の面）を構成する補強部材としての金属板部９２が配置される。よって、カードコネクタ９０に装着されたカード９０ａは、この金属板部９２によって筐体外部側が保護されることになる。
【００４５】
また、図５に示すように、カードコネクタ９０が収容されるカード収容部９１を挟んだ両側には、リブ８２、８２が挿入される溝部８６、８６が形成される。溝部８６、８６は、バッテリリッド２ｃのスライド方向に沿って延設される。溝部８６、８６は、カードコネクタ９０側に形成される凹部内側壁部８７と、凹部内側壁部８７に対向して形成され該凹部内側壁部８７に対してカードコネクタ９０側と反対側に形成される凹部外側壁部８８と、凹部内側壁部８７と凹部外側壁部８８とをつなぐように形成される底部８９とを有して構成される。
【００４６】
溝部８６、８６には、リブ８２、８２がスライド可能に挿入される。バッテリリッド２ｃが操作部側筐体２に取り付けられた状態で、リブ８２、８２におけるカードコネクタ９０側と反対側の側面である外側面８２ａ、８２ａは、溝部８６、８６における凹部外側壁部８８におけるカードコネクタ９０側の側面８８ｓに当接される。
【００４７】
表示部側筐体３は、フロントパネル３ａと、音声出力部２２と、フロントケース３ｂと、表示部２１と、表示部２１が接続されたプリント基板と、リアケース３ｃと、リアパネル３ｄと、を備える。
【００４８】
表示部側筐体３は、フロントパネル３ａと、フロントケース３ｂと、表示部２１と、プリント基板と、リアケース３ｃと、リアパネル３ｄとがそれぞれが積層的に配置される。具体的には、フロントケース３ｂとリアケース３ｃとは、互いの凹状の内側面が向き合うように配置され、互いの外周縁が重なり合うようにして結合される。
【００４９】
そして、フロントケース３ｂとリアケース３ｃとの間には、表示部２１が接続されたプリント基板が挟まれるようにして内蔵される。プリント基板には、不図示のアンプと接続されるスピーカが接続される。
【００５０】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００５１】
続けて、図６（Ａ）（Ｂ）（Ｃ）により、バッテリリッド２ｃが操作部側筐体２に取り付けられた状態で、該バッテリリッド２ｃに筐体外部から内部へ向かう力が加えられた場合におけるバッテリリッド２ｃの変形状態を説明する。図６（Ａ）は、バッテリリッド２ｃが操作部側筐体２に取り付けられた状態を示す図である。また、図６（Ｂ）は、操作部側筐体２に取り付けられた状態におけるバッテリリッド２ｃの変形状態を説明する図である。また、図６（Ｃ）は、操作部側筐体２に取り付けられた状態におけるバッテリリッド２ｃの変形状態を説明する図である。
【００５２】
図６（Ａ）に示すように、バッテリリッド２ｃが操作部側筐体２に取り付けられた状態において、バッテリリッド２ｃにおけるカードカバー部８１は、カードコネクタ９０及びカード収容部９１を覆うように配置される。詳細には、バッテリリッド２ｃにおける対向領域８３は、カードコネクタ９０を覆うように配置される。
【００５３】
また、バッテリリッド２ｃが操作部側筐体２に取り付けられた状態において、操作部側筐体２の内部側に突出するリブ８２、８２は、溝部８６、８６に挿入される。この状態において、リブ８２、８２の外側面８２ａ、８２ａは、溝部８６、８６の凹部外側壁部８８、８８における側面８８ａ、８８ａに当接される。なお、筐体外部からの応力がない場合には、リブ８２、８２の外側面８２ａ、８２ａは凹部外側壁部８８、８８の側面８８ａ、８８ａに当接されないように構成されていてもよい。
【００５４】
バッテリリッド２ｃに形成されたリブ８２、８２が操作部側筐体２に形成された溝部８６、８６に挿入されることで、リブ８２、８２同士の間の距離がバッテリリッド２ｃの幅方向にける長さの０．５以下と狭くなるので、カードコネクタ９０に対向して配置される対向領域８３が撓み変形しにくくなる。また、リブ８２、８２の外側面８２ａ、８２ａが凹部外側壁部８８の側面８８ａ、８８ａに当接するので、リブ８２、８２の筐体幅方向外側（図６に示す左右方向）への変位が抑制されて、バッテリリッド２ｃの変形（カードカバー部８１での筐体内側部側への撓み）がより抑制される。
【００５５】
次いで、図６（Ｂ）に示すように、操作部側筐体２に取り付けられた図６（Ａ）の状態におけるバッテリリッド２ｃの外面に外側から内側に向かう力Ｆが更に加えられた場合、バッテリリッド２ｃは操作部側筐体２の内部側に突出するように凹状に撓む。具体的には、まず、リブ８２、８２における先端部８２ｂ、８２ｂが、溝部８６、８６の底部８９、８９に当接される。また、バッテリリッド２ｃの内面であってリブ８２、８２よりもカードコネクタ９０側である内側の領域９９、９９が、凹部内側壁部８７、８７の先端部８７ｂ、８７ｂに当接する。
【００５６】
これにより、リブ８２、８２の先端部８２ｂ、８２ｂが溝部８６、８６の底部８９、８９に当接すると共に、バッテリリッド２ｃの内面であってリブ８２、８２よりもカードコネクタ９０側である内側の領域９９、９９が、凹部内側壁部８７、８７の先端部８７ｂ、８７ｂに当接するので、バッテリリッド２ｃの変形（筐体内部側への変位）が規制される。また、リブ８２、８２は、先端部８２ｂ、８２ｂが溝部８６、８６の底部８９、８９に当接するまで深く挿入されるので、リブ８２、８２の曲げ剛性によるバッテリリッド２ｃの変形を抑制する作用も向上される。即ち、バッテリリッド２ｃ（カードカバー部８１）に筐体外部からの外力Ｆが加えられ、バッテリリッド２ｃ（カードカバー部８１）が筐体内部側に撓むように変形する場合、リブ８２、８２の先端部８２ｂ、８２ｂには、筐体幅方向外側に変位する応力が作用することとなるが、リブ８２、８２の外側面８２ａ、８２ａが溝部８６、８６の凹部外側壁部８８、８８における側面８８ａ、８８ａに当接されることで、リブ８２、８２の先端部８２ｂ、８２ｂの筐体幅方向外側に変位が抑制されることとなり、バッテリリッド２ｃ（カードカバー部８１）の筐体内部側への撓み変形が抑制されることとなる。
【００５７】
続けて、図６（Ｃ）に示すように、図６（Ｂ）の状態からバッテリリッド２ｃの外面に力Ｆを更に加え続けた場合、対向領域９３がカードコネクタ９０側に突出する（撓む）ように更に変形する。そして、バッテリリッド２ｃの内面に形成される突起部８４の頂部８５が、カードコネクタ９０の上面側に配置される金属板部９２に当接する。
【００５８】
これにより、バッテリリッド２ｃが撓み変形した場合において、突起部８４がカードコネクタ９０における金属板部９２に最初に当接され、カードコネクタ９０における他の部分にバッテリリッド２ｃの内面が当接することを抑制する。つまり、バッテリリッド２ｃが撓み変形した場合において、カードコネクタ９０における強度が弱い他の部分にバッテリリッド２ｃの内面が当接されてカードコネクタ９０やカード９０ａ破損されることを抑制すると共に、強度の強い金属板部９２にバッテリリッド２ｃの内面を当接させることで外部からの力に対する耐久性を向上させている。
【００５９】
本実施形態によれば、バッテリリッド２ｃにカードコネクタ９０に対向する対向領域８３の両側に上述のリブ８２、８２を形成すると共に、操作部側筐体２にカードコネクタ９０の両側に溝部８６、８６を形成することで、外部からの力によりカバー部材が撓むことが抑制された携帯電子機器を提供することができる。つまり、外部からに力により撓んだバッテリリッド２ｃの一部がカードコネクタ９０に当接することにより生じるカードコネクタ９０やカード９０ａの破損を抑制することができる。
【００６０】
また、本実施形態によれば、リブ８２、８２同士の間であって補強部材としての金属板部９２に対向する位置に突起部８４を形成したので、バッテリリッド２ｃに加えられた力をカードコネクタ９０における最も強度が強い部分に伝達させることができる。これにより、バッテリリッド２ｃの一部がカードコネクタ９０に当接された場合でも、カードコネクタ９０やカード９０ａの破損を抑制することができる。
【００６１】
以上、本形態の好適な実施形態について説明したが、本発明は上述した実施形態に限定されることなく種々の形態で実施することができる。例えば、本実施形態において、電子部品としてカードコネクタ９０について説明するが、これに限定されず、各種コネクタ等を含む。
【００６２】
また、本実施形態において、カバー部材としてバッテリを保護するバッテリリッド２ｃについて説明しているが、これに限定されず、他の部材のように操作部側筐体２に取り付けられるカバー部材を保護する部材であってもよい。
【００６３】
また、本実施形態において、補強部材として金属板部９２について説明しているが、これに限定されず、他の材料で構成された部材でもよく、形状が板状でなくてもよい。
【図面の簡単な説明】
【００６４】
【図１】携帯電話機１を開いた状態における正面からの外観斜視図である。
【図２】携帯電話機１を開いた状態における裏面からの外観斜視図である。
【図３】操作部側筐体２におけるバッテリリッド２ｃをスライドしてカード９０ａが装着された状態が外部に露出した状態を示す図である。
【図４】（Ａ）バッテリリッド２ｃの表面における斜視図である。（Ｂ）は、バッテリリッド２ｃの裏面における斜視図である。
【図５】図３における領域Ｘの拡大図である。
【図６】（Ａ）バッテリリッド２ｃが操作部側筐体２に取り付けられた状態を示す図である。（Ｂ）操作部側筐体２に取り付けられた状態におけるバッテリリッド２ｃの変形状態を説明する図である。図６（Ｃ）操作部側筐体２に取り付けられた状態におけるバッテリリッド２ｃの変形状態を説明する図である。
【符号の説明】
【００６５】
１        携帯電話機
２        操作部側筐体
２ｃ      バッテリリッド
３        表示部側筐体
８２      リブ部
８３      対向領域
８４      突起部
８６      溝部
９０      カードコネクタ
９０ａ    カード
９２      金属板部
【図１】
2008294766.tif 000003
【図２】
2008294766.tif 000004
【図３】
2008294766.tif 000005
【図４】
2008294766.tif 000006
【図５】
2008294766.tif 000007
【図６】
2008294766.tif 000008